(57)【要約】【課題】ドア部の開閉時に電気配線を挟んでしまうことがなく、プレイヤの目に触れたときであっても見栄えのよい開閉ドア機構とそれを備える遊技機を提供する。【解決手段】遊技機は、開閉ドア機構１１０を備え、開閉ドア機構１１０は、開口部１１１ａを有する本体部１１１と、調光スクリーン７０が固定され、メンテナンス時などに開閉するドア部１１２と、本体部１１１にドア部１１２を開閉自在に連結し、ドア部１１２を回転によって開閉するヒンジ機構を有する連結部１１３と、ドア部１１２とガイド部１１５とを接続する取り付け部材１１４と、湾曲した略筒形状のものであって、任意の方向に回転する回転軸１１５ａを有し、一端がドア部１１２付近にあり、他端が本体部１１１の開口部１１１ａに挿入されているガイド部１１５と、ガイド部１１５の内部を通り、調光スクリーン７０と本体部１１１の内部とを結ぶ電気配線１１６などとを備える。【選択図】図２
2006055237.tif 000002
【特許請求の範囲】
【請求項１】
開口部を有する本体部と、
電気部品を実装したドア部と、
前記本体部に前記ドア部を開閉自在に連結する連結部と、
前記ドア部と一体的に移動し、一端が前記ドア部付近にあり、他端が前記本体部の開口部に挿入され、前記ドア部を最大限開いたときであっても他端が前記本体部の内部にある略筒形状のガイド部と、
前記ガイド部の内部を通り、前記電気部品と前記本体部の内部とを結ぶ電気配線と、
を備える開閉ドア機構。
【請求項２】
請求項１に記載の開閉ドア機構において、
前記連結部は、前記ドア部を回転によって開閉するヒンジ機構であり、
前記ガイド部は、前記ヒンジ機構の回転中心付近に設けられていること、
を特徴とする開閉ドア機構。
【請求項３】
請求項２に記載の開閉ドア機構において、
前記ガイド部は、前記開口部に挿入された状態で、前記ヒンジ機構の回転中心側が凹むように湾曲していること、
を特徴とする開閉ドア機構。
【請求項４】
請求項１から請求項３までのいずれか１項に記載の開閉ドア機構において、
前記ガイド部は、任意の方向に回転する回転軸を備えること、
を特徴とする開閉ドア機構。
【請求項５】
遊技機本体と、
前記遊技機本体に設けられた請求項１から請求項４までのいずれか１項に記載の開閉ドア機構と、
前記電気部品に含まれており、高分子液晶を用いて形成され、制御電圧によって透明度を変化させることができる調光スクリーンと、
前記調光スクリーンに所定の画像を投射するプロジェクターと、
を備える遊技機。
【発明の詳細な説明】
【技術分野】
【０００１】
本発明は、電気配線を整理するのに好適な開閉ドア機構とそれを備える遊技機に関するものである。
【背景技術】
【０００２】
特許文献１は、開閉自在なドア部（遊技球供給部）に複数の電気部品を設け、その電気部品に接続された電気配線を１つに束ねることによって、電気配線の引き回し構造を整理することができるパチンコ機を開示している。
【０００３】
しかし、特許文献１のものは、電気配線を束ねて整理しているものの、電気配線はむきだしになっているため、電気配線がたるんだ場合には、ドア部の開閉時に電気配線を不用意に挟んでしまったり、電気配線を断線してしまうおそれがあった。
【０００４】
また、特許文献１のものは、電気配線が、プレイヤには目視できないように内部で整理されているので、外観は非常によいものであるが、トラブル時やメンテナンス時にドア部を開いた場合には、電気配線が丸見えとなってしまい、見栄えのよいものではない可能性もあった。
【特許文献１】特開２００３−２３０７３１号公報
【発明の開示】
【発明が解決しようとする課題】
【０００５】
本発明の課題は、ドア部の開閉時に電気配線を不用意に挟んでしまうことがなく、しかも、プレイヤの目に触れたときであっても見栄えのよい開閉ドア機構とそれを備える遊技機を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、開口部（１１１ａ）を有する本体部（１１１）と、電気部品（７０）を実装したドア部（１１２）と、前記本体部（１１１）に前記ドア部（１１２）を開閉自在に連結する連結部（１１３）と、前記ドア部（１１２）と一体的に移動し、一端が前記ドア部（１１２）付近にあり、他端が前記本体部（１１１）の開口部（１１１ａ）に挿入され、前記ドア部（１１２）を最大限開いたときであっても他端が前記本体部（１１１）の内部にある略筒形状のガイド部（１１５）と、前記ガイド部（１１５）の内部を通り、前記電気部品（７０）と前記本体部（１１１）の内部とを結ぶ電気配線（１１６）と、を備える開閉ドア機構である。
請求項２の発明は、請求項１に記載の開閉ドア機構において、前記連結部（１１３）は、前記ドア部（１１２）を回転によって開閉するヒンジ機構であり、前記ガイド部（１１５）は、前記ヒンジ機構の回転中心付近に設けられていること、を特徴とする開閉ドア機構である。
請求項３の発明は、請求項２に記載の開閉ドア機構において、前記ガイド部（１１５）は、前記開口部（１１１ａ）に挿入された状態で、前記ヒンジ機構の回転中心側が凹むように湾曲していること、を特徴とする開閉ドア機構である。
請求項４の発明は、請求項１から請求項３までのいずれか１項に記載の開閉ドア機構において、前記ガイド部（１１５）は、任意の方向に回転する回転軸（１１５ａ）を備えること、を特徴とする開閉ドア機構である。
請求項５の発明は、遊技機本体と、前記遊技機本体に設けられた請求項１から請求項４までのいずれか１項に記載の開閉ドア機構（１１０）と、前記電気部品（７０）に含まれており、高分子液晶を用いて形成され、制御電圧によって透明度を変化させることができる調光スクリーンと、前記調光スクリーンに所定の画像を投射するプロジェクター（８０）と、を備える遊技機である。
【発明の効果】
【０００７】
本発明によれば、以下のような効果がある。
（１）ドア部と一体的に移動し、ドア部を最大限開いたときであっても他端が本体部の内部にあるガイド部に電気配線を通したので、ドア部の開閉時には、電気配線はガイド部に保護されており、電気配線がドア部に挟まることはなく、断線もしない。
（２）連結部はヒンジ機構であり、ガイド部はヒンジ機構の回転中心付近に設けられているので、ガイド部がヒンジ機構の回転中心に近づくことによって、ガイド部の移動量を最小限に抑えられ、ガイド部を省スペースで設置できる。
【０００８】
（３）ガイド部は、ヒンジ機構の回転中心側が凹むように湾曲しているので、ヒンジ機構の回転方向に沿って移動するようになり、さらなる省スペース化が図れ、開口部も小さくすることができる。
（４）ガイド部は、任意の方向に回転する回転軸を備えるので、回転が柔軟になり、移動も安定する。
【０００９】
（５）透明度を変化させることができる調光スクリーンを備える遊技機に、開閉ドア機構を設けたので、調光スクリーンが透明の状態になり、開閉ドア機構がプレイヤの目に触れた場合であっても、電気配線がガイド部の内部に収まっているので、見栄えがよい。
【発明を実施するための最良の形態】
【００１０】
本発明は、ドア部の開閉時に電気配線を不用意に挟んでしまうことがなく、しかも、プレイヤの目に触れたときであっても見栄えのよい開閉ドア機構とそれを備える遊技機を提供するという目的を、取り付け部材を介してドア部と一体的に設けられたガイド部に、電気配線を通すことにより実現する。
【実施例】
【００１１】
以下、図面等を参照して、本発明の実施例について、さらに詳しく説明する。
図１は、本発明による遊技機及び開閉ドア機構の実施例を示す図である。
本実施例による遊技機１は、ルーレットゲーム、ポーカーゲーム、スロットゲームなどの６人用のメダルゲームであり、タッチパネル型液晶モニター１０と、料金徴収装置２０と、メダルベンダー３０と、機械式ルーレット抽選機４０と、支柱５０と、天盤６０と、調光スクリーン（電気部品）７０と、回転式プロジェクター８０と、行灯９０と、基台１００と、開閉ドア機構１１０などとを備える。
【００１２】
タッチパネル型液晶モニター１０は、メインゲーム及びボーナスゲームの画像の表示に用いられるものであり、プレイヤは、画面上のゲーム選択画像をタッチして所望のゲーム選択や所望のゲーム操作を行う。
【００１３】
料金徴収装置２０は、メダルや遊技料金などを徴収する装置であり、例えば、ＩＣチップ挿入口、メダル投入口、メダル払出ボタンなどが設けられ、メダルの真贋鑑定機、メダルカウンタ、ＩＣチップリードライト装置などが内蔵されている。
【００１４】
メダルベンダー３０は、プレイヤがメダル払出ボタンを押したときに、プレイヤが獲得していたメダルを払い出すものである。
【００１５】
機械式ルーレット抽選機４０は、共通抽選機として用いられるものであり、いずれかのプレイヤがゲーム中に所定の条件を成就したとき、その使用権を獲得し、その抽選結果に応じて所定のメダルを払い出すものである。
【００１６】
支柱５０は、天盤６０を支えるものであり、スピーカが内蔵され、各支柱５０の間には、調光スクリーン７０が設けられている。
【００１７】
天盤６０は、この遊技機１の上方を覆うものであり、底面には、回転式プロジェクター８０が設けられ、側面には、行灯９０が設けられている。
【００１８】
調光スクリーン７０は、２枚の３ｍｍのアクリル板に挟まれた高分子液晶の膜と、その両側に設けられた透明度制御用の透明電極とを有し、制御電圧により、透明から半透明、完全遮光までの間で透明度が変えられるものである。
また、調光スクリーン７０は、常時は透明であり、各プレイヤは、機械式ルーレット抽選機４０を視認できるようになっているが、所定の条件が成就したときには、半透明になるように制御され、そのスクリーンに回転式プロジェクター８０からの所望の映像を映写できるようになっている。
【００１９】
回転式プロジェクター８０は、天盤６０の底面に、その中心線を軸として回転可能に取り付けられ、調光スクリーン７０に所望の映像を投射する装置である。
【００２０】
行灯９０は、天盤６０に内蔵され、ライトアップなどの視覚的な演出を行う照明器具である。
【００２１】
基台１００は、この遊技機１の土台となるものであり、上述したタッチパネル型液晶モニター１０、料金徴収装置２０、メダルベンダー３０が設けられている。
【００２２】
開閉ドア機構１１０は、遊技機本体の支柱５０の上方部に設けられ、調光スクリーン７０を開閉するためのものであり、ここでは、調光スクリーン７０の透明電極と遊技機１の内部の電源とを接続する電気配線を整理する機能が付加されており、以下、詳細に説明する。
【００２３】
図２は、開閉ドア機構１１０を示す図であって、図２（Ａ）は、平面図、図２（Ｂ）は、斜視図である。
開閉ドア機構１１０は、本体部１１１と、ドア部１１２と、連結部１１３と、取り付け部材１１４と、ガイド部１１５と、電気配線１１６などとを備える。
【００２４】
本体部１１１は、上述した遊技機１の支柱５０であり、開口部１１１ａを有する。
【００２５】
ドア部１１２は、メンテナンスや清掃時、遊技中のトラブル発生時などに開閉する扉であり、取り付けビス１１２ａによって、調光スクリーン７０が固定されている。
【００２６】
連結部１１３は、本体部１１１にドア部１１２を開閉自在に連結するものであり、また、ドア部１１２を回転によって開閉するヒンジ機構である。
【００２７】
取り付け部材１１４は、ドア部１１２とガイド部１１５とを接続する「くの字」形状の部材であり、一端がドア部１１２に固定され、他端が連結部１１３側に伸びている。
【００２８】
ガイド部１１５は、電気配線１１６を整理し、保護するものであって、任意の方向に回転する回転軸１１５ａを介して、連結部１１３の回転中心付近の取り付け部材１１４の先端に設けられ、一端がドア部１１２付近にあり、他端が本体部１１１の開口部１１１ａに挿入されている。
また、ガイド部１１５は、開口部１１１ａに挿入された状態で、連結部１１３のヒンジ機構の回転中心側が凹むように湾曲した略筒形状のものである。
【００２９】
電気配線１１６は、ガイド部１１５の内部を通り、調光スクリーン７０の透明電極と本体部１１１の内部の電源とを結ぶものである。
【００３０】
次に、開閉ドア機構１１０の動作について説明する。
図３は、開閉ドア機構１１０の開閉動作を示す図である。
ドア部１１２は、遊技中には、図３（Ａ）に示すように、閉じられているが、トラブル発生時やメンテナンス時には、図３（Ｂ）に示すように、開けられる。
このとき、ガイド部１１５は、ドア部１１２に引っ張られ、ドア部１１２と一体的に移動するが、ドア部１１２を最大限開いたときであっても他端Ａが本体部１１１の内部にある。
【００３１】
次に、本実施例の遊技機１のゲーム進行について説明する。
図４は、遊技機１のゲーム中の様子を示す図である。
まず、図３（Ａ）に示すように、プレイヤは、ゲームを開始する。メインゲーム中は、所定の条件が成就されると、そのプレイヤにはボーナスゲームを行う特典が与えられる。
【００３２】
このとき、図３（Ｂ）に示すように、特典の獲得をプレイヤに告知するため、調光スクリーン７０は半透明になるように制御され、そこに回転式プロジェクター８０から、画像が投影される。
プレイヤは、投影された画像を見ながら、タッチパネル型液晶モニター１０を用いてゲームを行い、ゲームに勝てば、所定のメダルが払い出される。
【００３３】
また、図３（Ｃ）に示すように、他のボーナスゲームもある。このときは、回転式プロジェクター８０は、旋回しつつ各プレイヤの調光スクリーン７０に所定のゲーム画像を投射する。回転式プロジェクター８０は、旋回速度を順次低下させ、いずれかのプレイヤの調光スクリーン７０に向いて停止する。そのとき、画像が投射されていた調光スクリーン７０のプレイヤが当たりとなり、所定のメダルが払い出される。
【００３４】
このように、本実施例によれば、以下のような効果がある。
（１）ドア部１１２と一体的に設けられたガイド部１１５に電気配線１１６を通したので、ドア部１１２を大きく開閉しても、ガイド部１１５の他端側は、本体部１１１から出ることはなく、電気配線１１６は、常に、ガイド部１１５に保護されており、電気配線１１６がドア部１１２の縁や本体部１１１に挟まることはなく、根元で断線することもない。
（２）ドア部１１２に、取り付け部材１１４及びガイド部１１５を取り付ける簡単な構成としたので、安価であり、しかも、外観がよい。
【００３５】
（３）連結部１１３はヒンジ機構であり、ガイド部１１５はヒンジ機構の回転中心付近に設けられているので、ガイド部１１５がヒンジ機構の回転中心に近づくことによって、ガイド部１１５の移動量を最小限に抑えられ、ガイド部１１５を省スペースで設置でき、より小さなガイド部１１５とすることができる。
（４）ガイド部１１５は、ヒンジ機構の回転中心側が凹むように湾曲しているので、ヒンジ機構の回転方向に沿って移動するようになり、さらなる省スペース化が図れ、開口部１１１ａの切り欠きも小さくすることができる。
【００３６】
（５）ガイド部１１５は、任意の方向に回転する回転軸１１５ａを備えるので、ガイド部１１５が支点を有し、回転が柔軟で移動も安定し、ドア部１１２の開閉時に小さく回転する（小回りがきく）ようになり、開口部１１１ａでの不用意な引っ掛かりもない。
（６）透明度を変化させることができる調光スクリーン７０を備える遊技機１に、開閉ドア機構１１０を設けたので、調光スクリーン７０が透明の状態になり、開閉ドア機構１１０がプレイヤの目に触れた場合であっても、電気配線１１６がガイド部１１５の内部に収まっているので、見栄えがよい。
【００３７】
（変形例）
以上説明した実施例に限定されることなく、種々の変形や変更が可能であって、それらも本発明の均等の範囲内である。
例えば、ドア部１１２は、回転によって開閉するヒンジ機構の例で説明したが、直線的に開閉する「ひきだし」のようなドア部であってもよい。このようにすれば、ドア部に番号キーが設けられた電子金庫や、ドア部に電気部品が取り付けられた料金徴収箱などに好適に用いることができる。
【００３８】
ガイド部１１５は、湾曲している例で説明したが、直線形状であってもよく、また、取り付け部材１１４を介して設ける例で説明したが、ドア部１１２に直接設けてもよく、さらに、回転軸１１５ａを設けなくてもよい。このようにすれば、上述した実施例よりも製造が容易となり、より安価となる。
【００３９】
調光スクリーンは、高分子液晶の膜をアクリル板で挟み込む例で説明したが、ガラスで挟み込むもの（調光ガラススクリーン）や、透明であって遊技機の動作に影響を及ぼさないその他の素材で挟み込むものであってもよい。
【図面の簡単な説明】
【００４０】
【図１】本発明による遊技機及び開閉ドア機構の実施例を示す図である。
【図２】開閉ドア機構１１０を示す図である。
【図３】開閉ドア機構１１０開閉動作を示す図である。
【図４】遊技機１のゲーム中の様子を示す図である。
【符号の説明】
【００４１】
１  遊技機
１０  タッチパネル型液晶モニター
２０  料金徴収装置
３０  メダルベンダー
４０  機械式ルーレット抽選機
５０  支柱
６０  天盤
７０  調光スクリーン（電気部品）
８０  回転式プロジェクター
９０  行灯
１００  基台
１１０  開閉ドア機構
１１１  本体部
１１１ａ  開口部
１１２  ドア部
１１２ａ  取り付けビス
１１３  連結部
１１４  取り付け部材
１１５  ガイド部
１１５ａ  回転軸
１１６  電気配線
【図１】
2006055237.tif 000003
【図２】
2006055237.tif 000004
【図３】
2006055237.tif 000005
【図４】
2006055237.tif 000006